(57)【要約】【課題】遊技機情報の視認性を高めると共に、遊技状況の視認性を妨げることのない遊技機を提供する。【解決手段】遊技機の上皿前面５ａに、遊技機情報表示部１９を備え、該遊技機情報表示部は、種々の遊技機情報を記載した表示媒体２０と、該表示媒体を出し入れ可能に構成された透明合成樹脂材からなる媒体保持部２１と、該媒体保持部の裏面側に備えられる第一腕部２７と、該第一腕部２７に回動可能に連結された第二腕部２８とで構成された支持部２６で構成されている。そして、前記支持部の第二腕部の遊端側末端は、上皿前面に穿設された横長孔７の上下縁部７ａ，７ｂに嵌合されて、前記横長孔対して横方向に水平移動可能に支持されている。【選択図】    図１
2006034764.tif 000002
【特許請求の範囲】
【請求項１】
遊技機の前面外方に、該遊技機に関する情報を表示した遊技機情報表示部を備え、
該遊技機情報表示部は、遊技者の視界領域内で、かつ遊技領域外に突設されていることを特徴とする遊技機。
【請求項２】
遊技機情報表示部は、傾斜角度調整部を有していることを特徴とする請求項１に記載の遊技機。
【請求項３】
遊技機情報表示部は、遊技球貯留皿部の前面に突設されていることを特徴とする請求項１又は２に記載の遊技機。
【請求項４】
遊技機情報表示部と遊技機との相対位置を変化させる可動部を備えたことを特徴とする請求項１又は２に記載の遊技機。
【請求項５】
遊技機情報表示部と遊技球貯留皿部との相対位置を変化させる可動部を備えたことを特徴とする請求項３に記載の遊技機。
【請求項６】
遊技機情報表示部は、遊技機情報を表示した媒体が、取出し可能に収納される袋状収容部を有すると共に、該袋状収容部は、肉眼で後方の遊技機が直視可能な部材をもって形成されていることを特徴とする請求項１乃至５のいずれかに記載の遊技機。
【発明の詳細な説明】
【技術分野】
【０００１】
本発明は、遊技機情報表示部を備えている遊技機、詳しくは、その遊技機情報表示部の配設構造に関する。なお、「遊技機情報」とは、その遊技機の大当たり確率、賞球数、時短機能有無など、遊技機に関する種々の情報をいう。また、本発明は、弾球遊技機（パチンコ機）や回胴式遊技機（パチスロ機）の双方を対象とする。
【背景技術】
【０００２】
従来、弾球遊技機（パチンコ機）や回胴式遊技機（パチスロ機）などの遊技機は、当該遊技機の紹介や遊技内容、すなわち、大当たり確率、賞球数や時短機能有無などの遊技機情報を記載した説明書（遊技機情報表示部）を、遊技盤の遊技領域以外の箇所（具体的には遊技盤の左下隅など）に貼着していた（例えば特許文献１の従来技術の段落０００３参照。）。
このような遊技機情報表示部は、当該遊技機にて遊技する者にとっては有意義な情報で、特に初心者や当該遊技機に初めて接する遊技者にとっては、遊技の仕方や、当たり図柄、大当たり確率などを知る情報の入手手段として重要であり、その情報を基に遊技を楽しむことができるように配慮されているものである。
【特許文献１】特開平１０‐１５２２３号公報
【発明の開示】
【発明が解決しようとする課題】
【０００３】
しかし、特に弾球遊技機にあっては、遊技球の転動流下する遊技領域を広く確保するため、上述の通り遊技機情報表示部の配設箇所が、遊技盤の左下隅などと制約を受けていた。従って、必然的に遊技機情報表示部の配設領域が狭くならざるを得なかった。その結果、種々の遊技機情報をその狭い領域内に収めようとすると細かく表示しなければならず、見づらく遊技者にとってストレスを感じさせていた。また、その遊技機情報を確認しようとすると、姿勢を変えることがあるため遊技状況の視認性を低下させることもあった。
本発明は、このような問題を解決するためになされており、その目的とするところは、遊技機情報の視認性を高めると共に、遊技状況の視認性を妨げることのない遊技機を提供することにある。
【課題を解決するための手段】
【０００４】
このような目的を達成するために、第１の発明は、遊技機の前面外方に、該遊技機に関する情報を表示した遊技機情報表示部１９を備え、該遊技機情報表示部１９は、遊技者の視界領域内で、かつ遊技領域Ａ外に突設されていることを特徴とする遊技機としたことである。
本発明によれば、従来のような制約を受けることなく、種々の遊技機情報Ｇを詳細に記載できると共に、その遊技機情報Ｇを遊技者が容易に視認できる。また、遊技盤１４の視認性を低下させずに遊技機情報Ｇが入手できるため、遊技状況の視認性を低下させることもない。
【０００５】
第２の発明は、第１の発明において、遊技機情報表示部１９は、傾斜角度調整部２９を有していることを特徴とする遊技機としたことである。
本発明によれば、個々の遊技者の見易い角度に遊技機情報表示部１９を傾斜調整できるため、遊技機情報Ｇの見易さを更に向上できる。
【０００６】
第３の発明は、第１又は第２のいずれかの発明において、遊技機情報表示部１９は、遊技球貯留皿部５の前面５ａに突設されていることを特徴とする遊技機としたことである。
本発明によれば、遊技機に接する遊技者にとって近い位置に遊技機情報表示部１９が設けられるため、遊技者の遊技状況の視認性を低下させることなく見易い遊技機情報Ｇを簡易な方法で提供することができる。また、本発明のように遊技機情報表示部１９を設置すれば遊技者の視認領域内で遊技領域Ａを妨げることも無い。
【０００７】
第４の発明は、第１又は第２のいずれかの発明において、遊技機情報表示部１９と遊技機との相対位置を変化させる可動部を備えたことを特徴とする遊技機としたことである。
また第５の発明は、第３の発明において、遊技機情報表示部１９と遊技球貯留皿部５との相対位置を変化させる可動部を備えたことを特徴とする遊技機としたことである。
本発明によれば、遊技者の遊技の妨げとならない位置（遊技機又は遊技球貯留皿部５に対して左右上下方向）へ遊技機情報表示部１９を移動することができる。
【０００８】
第６の発明は、第１乃至第５のいずれかに記載の発明において、遊技機情報表示部１９は、遊技機情報Ｇを表示した媒体２０が、取出し可能に収納される袋状収容部２２を有すると共に、該袋状収容部２２は、肉眼で後方の遊技機が直視可能な部材をもって形成されていることを特徴とする遊技機としたことである。
本発明によれば、遊技機情報Ｇを表示した媒体２０を遊技者が取り出して見ることもでき、また、その遊技情報Ｇを記載した媒体２０を取り出せば、その裏側の遊技機が遊技者から直接視認できるため、遊技者の遊技の視認性を妨げることにもならない。
【発明の効果】
【０００９】
本発明によれば、遊技機に接する遊技者の遊技機情報の視認性を高めることができると共に、遊技状況の視認性を妨げることのない遊技機を提供することができる。
【発明を実施するための最良の形態】
【００１０】
本発明の一実施形態を、以下に詳述する実施例に基づいて説明する。なお、本実施形態は本発明の一例にすぎずなんらこれに限定解釈されるものではなく、本発明の範囲内で設計変更可能である。なお、本実施形態では本発明遊技機の一例として弾球遊技機（パチンコ機ともいう）をもって説明するが、本発明は回胴式遊技機（パチスロ機ともいう）にも適用可能である。
【実施例１】
【００１１】
図１は、本発明を弾球遊技機に適用した一例であり、遊技枠１に遊技機本体２を開閉可能に支持している。
本体２の前面上部には、ガラス板４を嵌めたフロント扉３を有し、その内方には遊技盤１４を備え、該遊技盤１４の裏側には、図示しない液晶表示装置などの表示装置と主制御基板などが配設され、本体２の前面下部には、遊技球を受け止める上皿５、上皿５満杯時に球出口の内方で溢れた遊技球を受け止める下皿８、発射装置のハンドル９、そして前記上皿５の前面側に遊技機情報表示部１９を備えている。
【００１２】
前記遊技盤１４は、透光性部材又は非透光性部材からなる遊技盤ベース１５と、種々の遊技部材１６とで構成されている。遊技部材１６は、弾球遊技機において遊技に必要な全ての部材を言い、例えば、遊技領域Ａを区画すると共に、該遊技領域Ａに発射ソレノイドから打ち出される発射球を導くガイドレール１７、遊技領域Ａに打ち出された遊技球が当たり、遊技球の流下方向を転動案内する遊技球誘導部材１８、前記液晶表示装置の変動表示を起動すると共に、大当たりとするか否かの抽選処理を起動するチューリップ式の普通電動役物からなる始動口１０、大当たり時に開放するアタッカと称する第一種特別電動役物の大入賞口１１、一般入賞口となる左右の入賞口１２、遊技領域での入賞を逃したアウト球を排出するアウト口１３、遊技盤ベース１５に打たれている図示しない多数の遊技釘などが一例として挙げられる。
また、本実施例では、液晶表示装置を備えた一例をもって説明するが、本発明はこれに限定されず、このような液晶表示装置以外の表示装置を備える弾球遊技機、あるいは表示装置を備えない弾球遊技など、弾球遊技機全般にわたって適用可能である。
また、投影機からの動画又は静止画を、反射板で屈折して表示させる投影型画像表示装置を用いる遊技機も対象である。
【００１３】
本発明は、前記遊技機情報表示部１９を備えた点に特徴を有し、その他の構成にあっては、特に限定されず本発明の範囲内で適宜設計変更可能なため詳細は省略し、以下遊技機情報表示部１９を中心に説明する。
【００１４】
遊技機情報表示部１９は、遊技機に関する種々の遊技機情報Ｇを記載した表示媒体２０と、該表示媒体２０を出し入れ可能に構成した媒体保持部２１と、該媒体保持部２１を上皿５前方に配設支持する支持部２６とで構成されている。遊技機情報Ｇは、例えば当該遊技機に関する大当たり確率、賞球数、時短機能有無などの遊技機に関する種々の情報であり、その情報にあっては、本発明の範囲内で種々の遊技機情報が開示可能である。
そして、この遊技機情報表示部１９は、遊技者の視界領域内で、かつ遊技領域Ａ外に突設されている。
「遊技者の視界領域」とは、遊技者が遊技機の前に着座し、遊技機の遊技盤１４に形成された遊技領域Ａを直視した際に、遊技者の視界に入る領域（視野角）をいい、例えば遊技者が遊技盤１４に対して直交する方向に向いている時の上下及び左右方向に夫々９０度ずつの領域を言うものとする。
具体的には、本実施例では、遊技機情報表示部１９を遊技球貯留皿部（上皿）５の前面５ａに突設している。
なお、遊技機情報表示部１９の配設位置は、遊技機の前面上方であったり、前面側方であったりなど本発明の範囲内で設計変更可能である。
【００１５】
表示媒体２０は、本実施例では、図２，３に示すように、大当たり図柄、大当たり確率、賞球数、時短機能有無など、遊技機に関する種々の情報Ｇを記載した紙・合成樹脂板などからなる正面視矩形状の板材とする。
また、本実施例では、一枚の板材の表面に遊技機情報Ｇを記載しているもので説明するが、複数枚から構成されているものでもよく任意である。なお、本実施例では、遊技機情報Ｇを記載するとしているが、この「記載」とは、情報を遊技者（読み手）に開示していることを意味しているもので、印刷により開示されているものに限らない。
なお、表示媒体２０の材質・形状などは特に限定されず本発明の範囲内で他の材質・形状などが選択可能である。
【００１６】
媒体保持部２１は、遊技機情報Ｇを表示した媒体２０が、取出し可能に収納される袋状収容部２２を有すると共に、該袋状収容部２２は、肉眼で後方の遊技機が直視可能な部材をもって形成されている。
すなわち、前記袋状収容部２２は、透明合成樹脂板からなるベース部２３と、該ベース部２３に対して左右端及び下端を固着して配設される透明合成樹脂シートからなるカバー部２４とで構成され、ベース部２３に対して固着していないカバー部上端２４ａとベース部２３との間で挿入口２５が形成されている。
【００１７】
従って、この袋状収容部２２に収容される表示媒体２０は、前記挿入口２５を介して出し入れが可能となる。図１及び図２は、袋状収容部２２内に表示媒体２０が収容されている状態、図３は、袋状収容部２２から表示媒体２０が抜き出されている状態で、透明な袋状収容部２２を通して裏側に位置している遊技機（上皿５周辺）が視認可能である。
本実施例では、前記ベース部２３は硬質合成樹脂材でもって形成され、カバー部２４は軟質合成樹脂材をもって形成されているが、前記ベース部２３とカバー部２４は硬質材であっても軟質材であってもよい。
また、袋状収容部２２は、複数個並設されている形態も採用可能で、複数個の袋状収容部に夫々別個の表示媒体２０を収容するものとすることも可能である。
【００１８】
支持部２６は、前記媒体保持部２１のベース部裏面２３ａにおける略中心位置から鉛直方向に突設される第一腕部２７と、該第一腕部２７に一端側を回動可能に連結される第二腕部２８とで構成されており、該第二腕部２８の他端側（遊端側）が上皿５の前面５ａ側に取り付けられる。このように、本実施例では、第一腕部２７と第二腕部２８とが、前後方向に回動可能に軸支されることで、前記媒体保持部２１の傾斜角度が自在に調整可能である。
【００１９】
本実施例では、前記軸支している部分を傾斜角度調整部２９としているが、別途第一腕部２７と第二腕部２８との間に傾斜角度調整部を介して連結するものとしてもよい。
また、本実施例では第一腕部２７の基端２７ａ側をベース部裏面２３ａに一体的に固着しているが、この基端２７ａ側をベース部裏面２３ａに対して回動自在に連結することで傾斜角度調整部としてもよい。
さらに、この基端２７ａ側とベース部裏面２３ａとの連結部若しくは前記第一腕部２７と第二腕部２８との連結部にて媒体保持部２１を水平方向に回動可能とする構成を採用すれば、さらに遊技者の視認性を向上させることができる。
【００２０】
そして、本実施例では、前記遊技機情報表示部１９と遊技機（上皿５）との相対位置を変化させる可動部構造を備えている。可動部構造の一例を以下に説明する。
【００２１】
前記第二腕部２８の他端側（遊端側）は、上下方向に二股の側面視略V字形状に形成されて上下方向にばね性を有するものとすると共に、上下片２８ａ，２８ｂの夫々の末端外面には、嵌合部３０，３０が形成されている。図５（ａ）は嵌合状態、（ｂ）は嵌合前で、ばね力に抗して上下片２８ａ，２８ｂを押圧している状態の概略図を示す。嵌合部３０は、上下片２８ａ，２８ｂの末端外面で、幅方向に両端を開放した溝状に形成されている。
【００２２】
前記上皿５は、その前面５ａに、該前面５ａに沿って水平方向に横長孔（ガイド溝）７が延設され、該横長孔７に前記支持部２６の第二腕部２８の遊端側が摺動可能に挿入保持されることにより構成される。
【００２３】
図に基づいて説明すると、上皿５の前面５ａにカバー部材６を着脱自在に取り付け、該カバー部材６の前面には、該前面に沿って水平方向に延設した横長孔７が穿設されており、該横長孔７の上下縁部７ａ，７ｂに、前記支持部２６の第二腕部２８の遊端側末端に存する嵌合部３０，３０を嵌め合わせ、支持部２６を上皿前面５ａにて横方向に摺動可能に配設支持させている。
【００２４】
すなわち、本実施例によれば、遊技機情報表示部１９は、上皿５の横長孔７に沿ってスライドさせると共に、傾斜角度を調整することにより、遊技者が最も見易い位置に遊技機情報表示部１９を配置させることができる。特に限定はされないが、本実施例では、前記嵌合部３０，３０と横長孔の上下縁部７ａ，７ｂのいずれか一方若しくは双方を、摺動性に優れた材質をもって形成するものとすれば遊技機情報表示部１９のスライド操作が向上する。
また、本実施例によれば、上皿５の前面５ａに遊技機情報表示部１９を備えるものとしたため、遊技者の視界領域にて遊技領域と重ならない位置に配置できる。また、遊技機情報を不要とするときには、例えば図１・図２で向かって左端隅に寄せておけば遊技の妨げにもならない。さらに、本実施例の構成によれば、遊技機の上皿前面５ａに予め上述した横長孔７さえ形成しておけば、遊技機情報表示部１９を後付することが可能である。これによれば、遊技機情報表示部１９の補修・交換作業時に大変容易に行えるため作業者の労力も軽減される。
【実施例２】
【００２５】
図７及び図８は、本発明の実施例２を示す。
本実施例では、遊技機情報表示部１９の配設箇所の他の実施の一例を示すもので、本実施例では、例えば遊技機の前面上方に備えている。
遊技機情報表示部１９の構造は、前記実施例１の構成と略同様であるためここでの詳細は省略するが、支持部２６の構造にあっては一部相違している。すなわち、本実施例の支持部２６は、ベース部裏面２３ａに突設した第一腕部２７と、該第一腕部２７と回動可能に連結される第二腕部２８と、該第二腕部２８と回動可能に連結される第三腕部３１とで構成されている。
そして、遊技機のフロント扉３の上面に横長孔７を形成し、該横長孔７に遊技機情報表示部１９の第三腕部３１の末端側を摺動可能に配設保持させている。その配設保持する構造は実施例１と同様でよいが限定解釈はされない。
すなわち、遊技者が遊技機情報を得たい場合には、媒体保持部２１を下方に引き寄せるか、表示媒体２０を抜き出して直接見ることができる。また、不要時には、媒体表示部２１を遊技機の上方へと押し上げれば、遊技中の遊技領域Ａを妨げることにもならない。
「変形例」
【００２６】
上記実施例１及び実施例２では、袋状収容部２２を備えた媒体保持部２１に対して表示媒体２０が出し入れ可能に収容される形態をもって説明したが、板状の表示媒体に直接支持部を取付て、表示媒体が取り外し不能とするものとしても構わない。
【００２７】
また、本実施例では、遊技機情報表示部１９と遊技球貯留皿部５との相対位置を横方向に変化させる可動構造をもって説明したが、相対位置を縦方向に変化させるものとしてもよい。
本実施例では、支持部２６の第二腕部２８の嵌合部３０を介して嵌合取り付けする構成としたが、第二腕部２８の末端側をカバー部材６（上皿５）の裏側から横長孔７の孔延設方向にスライド可能に取り付け保持する構成とすることも可能である。
また、本発明は、遊技機情報表示部１９を遊技機に対して相対位置が変わらぬように固定するものとしてもよい。また、傾斜角度が固定で変化できないものも本発明の範囲内である。
【図面の簡単な説明】
【００２８】
【図１】本発明を弾球遊技機に適用した実施例１を示す概略斜視図。
【図２】図１に示す実施例１の正面図。
【図３】表示媒体を媒体保持部から抜き出した状態の正面図。
【図４】遊技機情報表示部を備えた弾球遊技機の要部を示す側面図。
【図５】図４の側面図における要部の拡大断面図で、（ａ）は支持部を上皿前面に取り付けた状態、（ｂ）はばね力に抗して支持部を上下方向から押圧した状態の概略側面図。
【図６】遊技機情報表示部の取り付け位置を上方から見た状態の概略平面図。
【図７】実施例２の概略斜視図。
【図８】図７の要部を示す概略側面図。
【符号の説明】
【００２９】
５  上皿
１４  遊技盤
１９  遊技機情報表示部
２０  表示媒体
２１  媒体保持部
２２  袋状収容部
２６  支持部
Ａ  遊技領域
【図１】
2006034764.tif 000003
【図２】
2006034764.tif 000004
【図３】
2006034764.tif 000005
【図４】
2006034764.tif 000006
【図５】
2006034764.tif 000007
【図６】
2006034764.tif 000008
【図７】
2006034764.tif 000009
【図８】
2006034764.tif 000010